(57)【要約】【課題】従来の車両用光源バルブでは、導体型発光体の基板への実装や基板の口金への取付が煩雑である。【解決手段】車両用光源バルブ１に使用される半導体型発光体アセンブリ４、４０は、平板形状の基板２７と、この平板形状の基板２７の表裏両面に実装されている半導体型発光体２と、から構成されている。この結果、平板形状の基板２７の表裏両面に半導体型発光体２を実装するので、従来の車両用光源バルブと比較して、平板形状２７の基板に半導体型発光体２を実装するのが簡単であり、また、半導体型発光体２を実装した平板形状の基板２７を口金５、５０に取り付けるのも簡単である。このために、製造コストを安価にすることができる。【選択図】        図１
2006324217.tif 000002
【特許請求の範囲】
【請求項１】
半導体型発光体を光源とし、車両用灯具に装着される車両用光源バルブにおいて、
半導体型発光体アセンブリと、
前記半導体型発光体アセンブリが取り付けられており、車両用の口金の規格を満足する
口金と、
前記半導体型発光体アセンブリをカバーして前記口金部に固定されているバルブと、
を備え、
前記口金は、前記半導体型発光体アセンブリが取り付けられるための取付部と、前記半
導体型発光体アセンブリに給電するための給電部材と、前記バルブが固定されるための固
定部と、前記車両用灯具に装着されるための装着部と、から構成されており、
前記バルブは、前記半導体型発光体アセンブリをカバーする中空形状をなし、かつ、前
記半導体型発光体からの光を外部に透過させる光透過性部材から構成されており、前記固
定部に固定されており、
前記半導体型発光体アセンブリは、一端が前記取付部に取り付けられている平板形状の
基板と、前記基板の表裏両面に実装されている前記半導体型発光体と、前記基板に実装さ
れている前記半導体型発光体用の駆動回路と、前記給電部材が接続されている接続部と、
から構成されている、
ことを特徴とする車両用光源バルブ。
【請求項２】
前記基板は、前記車両用灯具に装着される際に光源の位置合わせの基準となる前記口金
の基準面に対してほぼ垂直に、前記取付部に取り付けられている、ことを特徴とする請求
項１に記載の車両用光源バルブ。
【請求項３】
前記半導体型発光体は、前記基板の表裏両面にそれぞれ複数個実装されている、ことを
特徴とする請求項１または２に記載の車両用光源バルブ。
【請求項４】
前記半導体型発光体は、車両の口金の規格で決められているフィラメントの前端よりも
後方に位置する、ことを特徴とする請求項１〜３のいずれか１項に記載の車両用光源バル
ブ。
【請求項５】
前記バルブには、前記半導体型発光体からの光を外部に拡散透過させる光拡散素子群が
設けられている、ことを特徴とする請求項１〜４のいずれか１項に記載の車両用光源バル
ブ。
【発明の詳細な説明】
【技術分野】
【０００１】
この発明は、ＬＥＤなどの半導体型発光体を光源とし、車両用灯具に装着される車両用
光源バルブに関するものである。
【背景技術】
【０００２】
この種の車両用光源バルブは、従来からある（たとえば、特許文献１、特許文献２）。
以下、従来の車両用光源バルブについて説明する。従来の車両用光源バルブは、半導体型
発光体アセンブリと、前記半導体型発光体アセンブリが取り付けられており、車両用の口
金の規格を満足する口金と、前記半導体型発光体アセンブリをカバーして前記口金部に固
定されているバルブと、を備えるものである。上記の構成からなる従来の車両用光源バル
ブを車両用灯具に装着して、前記半導体型発光体アセンブリの半導体型発光体を発光させ
る。すると、半導体型発光体からの光が前記バルブを経て外部に透過し、前記バルブを透
過した光が車両用灯具のリフレクタで反射して、車両用灯具の外部に所定の配光パターン
で照射される。ＬＥＤなどの半導体型発光体を光源とする車両用光源バルブは、フィラメ
ントや放電などを光源とする車両用光源バブルと比較して、消費電力や発熱量が少ないと
いうメリットがある。
【０００３】
ところが、従来の車両用光源バルブは、逆Ｕ字形状の基板（特許文献１）や円筒形状の
基板（特許文献２）に半導体型発光体を実装するものである。このために、従来の車両用
言バルブは、基板に半導体型発光体を実装するのが煩雑であり、また、半導体型発光体を
実装した基板を口金に取り付けるのも煩雑であるという課題がある。
【０００４】
【特許文献１】特開２００１−１２６５１０号公報
【特許文献２】特開２００２−３３４６０４号公報
【発明の開示】
【発明が解決しようとする課題】
【０００５】
この発明が解決しようとする問題点は、従来の車両用光源バルブでは、半導体型発光体
の基板への実装や基板の口金への取付が煩雑であるという点である。
【課題を解決するための手段】
【０００６】
この発明（請求項１にかかる発明）は、平板形状の基板の表裏両面に半導体型発光体が
実装されている、ことを特徴とする。
【０００７】
また、この発明（請求項２にかかる発明）は、基板が、車両用灯具に装着される際に光
源の位置合わせの基準となる口金の基準面に対してほぼ垂直に、口金に取り付けられてい
る、ことを特徴とする。
【０００８】
さらに、この発明（請求項３にかかる発明）は、半導体型発光体が基板の表裏両面にそ
れぞれ複数個実装されている、ことを特徴とする。
【０００９】
さらにまた、この発明（請求項４にかかる発明）は、半導体型発光体が、車両の口金の
規格で決められているフィラメントの前端よりも後方に位置する、ことを特徴とする。
【００１０】
さらにまた、この発明（請求項５にかかる発明）は、半導体型発光体からの光を外部に
拡散透過させる光拡散素子群がバルブに設けられている、ことを特徴とする。
【発明の効果】
【００１１】
この発明（請求項１にかかる発明）の車両用光源バルブは、平板形状の基板の表裏両面
に半導体型発光体を実装するので、逆Ｕ字形状の基板や円筒形状の基板に半導体型発光体
を実装する従来の車両用光源バルブと比較して、平板形状の基板に半導体型発光体を実装
するのが簡単であり、また、半導体型発光体を実装した平板形状の基板を口金に取り付け
るのも簡単である。このために、この発明（請求項１にかかる発明）の車両用光源バルブ
は、製造コストを安価にすることができる。
【００１２】
また、この発明（請求項２にかかる発明）の車両用光源バルブは、平板形状の基板が口
金にその口金の基準面に対してほぼ垂直に取り付けられているので、口金を車両用灯具に
装着した際には、平板形状の基板の表裏両面が車両用灯具のリフレクタの光軸に対してほ
ぼ平行となる。このために、この発明（請求項２にかかる発明）の車両用光源バルブは、
平板形状の基板の表裏両面に実装された半導体型発光体からの光を車両用灯具のリフレク
タで有効に活用することができる。しかも、この発明（請求項２にかかる発明）の車両用
光源バルブは、基板の口金への取付姿勢を、たとえば、正面から見て平板形状の基板が水
平もしくは垂直もしくは右斜めもしくは左斜めなどに、調整することにより、半導体型発
光体からの光をリフレクタのうち有効な部分に反射させることができるので、半導体型発
光体からの光をさらに有効に活用することができる。その上、車両用灯具のレンズから平
板形状の基板を見え難くすることができ、見栄えが向上する。
【００１３】
さらに、この発明（請求項３にかかる発明）の車両用光源バルブは、半導体型発光体が
平板形状の基板の表裏両面にそれぞれ複数個実装されているので、半導体型発光体の光放
射軸を基板の表裏両面においてそれぞれほぼ同一方向に設定することができ、同一方向の
光束量（光量）を上げることができる。
【００１４】
さらにまた、この発明（請求項４にかかる発明）の車両用光源バルブは、半導体型発光
体が、車両の口金の規格で決められているフィラメントの前端よりも後方に位置するので
、車両用灯具に装着した際に、半導体型発光体がその車両用灯具のリフレクタの焦点より
も後方に位置することとなり、この結果、半導体型発光体からの光がリフレクタで拡散反
射されるので、リフレクタが広い範囲に亘って光って目立ち、装飾効果が大きい。
【００１５】
さらにまた、この発明（請求項５にかかる発明）の車両用光源バルブは、半導体型発光
体からの光を外部に拡散透過させる光拡散素子群がバルブに設けられているので、車両用
灯具に装着した際に、半導体型発光体からの光がバルブを透過する際に光拡散素子群によ
り拡散され、その拡散透過した光が車両用灯具のリフレクタで反射されるので、リフレク
タが広い範囲に亘って光って目立ち、装飾効果が大きい。
【発明を実施するための最良の形態】
【００１６】
以下、この発明にかかる車両用光源バルブの実施例のうちの３例を添付図面に基づいて
詳細に説明する。なお、この実施例によりこの発明が限定されるものではない。
【実施例１】
【００１７】
図１〜図９は、この発明にかかる車両用光源バルブの実施例１を示す。以下、この実施
例１における車両用光源バルブの構成について説明する。なお、図１（Ａ）は、実施例１
における車両用光源バルブの正面図である。図１（Ｂ）は、実施例１における車両用光源
バルブの側面図である。図１（Ｃ）は、実施例１における車両用光源バルブの背面図であ
る。図４（Ａ）は、半導体型発光体アセンブリの表面側の平面図である。図４（Ｂ）は、
半導体型発光体アセンブリの裏面側の底面図である。図４（Ｃ）は、半導体型発光体アセ
ンブリの電気回路図である。
【００１８】
この実施例１における車両用光源バルブ１は、半導体型発光体２を光源とし、車両用灯
具３に装着されるものであって、半導体型発光体アセンブリ４と、口金５と、バルブ６と
、を備えるものである。
【００１９】
前記車両用灯具３は、この例では、フォグランプである。前記車両用灯具３は、図８に
示すように、灯室７を区画するランプハウジング８およびランプレンズ９を備えるもので
ある。前記ランプハウジング８には、リフレクタ１０が設けられている。前記リフレクタ
１０は、たとえば、回転放物面を基調とする自由曲面の反射面からなる。前記リフレクタ
１０には、焦点Ｆと光軸Ｚ−Ｚとを有する。一方、前記ランプレンズ９には、前記リフレ
クタ１０からの反射光を拡散させて外部に照射する光拡散系のプリズム１１が設けられて
いる。
【００２０】
また、前記ランプハウジング８には、たとえば、フォグランプ用の光源バルブ（図示せ
ず）の口金（図示せず）が装着される装着部１２が設けられている。前記フォグランプ用
の光源バルブは、フィラメントを光源とするハロゲンバルブである。また、前記フォグラ
ンプ用の光源バルブの口金は、規格化されており、この例では、たとえば、ＨＢ４タイプ
の口金もしくはＨ１１タイプの口金である。
【００２１】
前記車両用灯具３側の装着部１２は、規格化されたフォグランプ用の光源バルブの口金
が着脱可能に装着されるものである。前記装着部１２は、図５〜図９に示すように、前記
ランプハウジング８に設けられている小径の円形透孔１３および円環状の段部当接面１４
および大径の円形透孔１５と、前記大径の円形透孔１５の縁に設けられている３個の凹部
１６および３個の係合溝１７と、から構成されている。
【００２２】
前記口金５は、前記半導体型発光体アセンブリ４が取り付けられており、車両用の口金
の規格を満足するものである。すなわち、前記口金５は、規格化されたフォグランプ用の
光源バルブの口金、この例では、たとえば、ＨＢ４タイプの口金もしくはＨ１１タイプの
口金とほぼ同一の構造をなすものである。前記口金５は、図１〜図３に示すように、本体
部材１８と、前記本体部材１８中に配線されている給電部材としてのハーネス１９と、前
記本体部材１８中に充填されているたとえば耐熱シリコーンゴムなどの充填部材２０と、
前記本体部材１８に固定されているベース部材２１およびカバー部材２２およびＯリング
２３と、から構成されている。
【００２３】
前記本体部材１８は、前記車両用灯具３側の装着部１２に装着されるための装着部を構
成する。また、前記ハーネス１９は、前記半導体型発光体アセンブリに給電するための部
材である。さらに、前記充填部材２０および前記ベース部材２１は、前記半導体型発光体
アセンブリ４が取り付けられるための取付部と、前記バルブが固定されるための固定部と
、を構成する。
【００２４】
前記口金５側の装着部を構成する前記本体部材１８は、前記大径の円形透孔１５を挿通
して前記段部当接面１４に当接する円形の当接鍔部２４と、前記当接鍔部２４の外周面に
一体に設けられており、前記凹部１６に挿通して前記係合溝１７に係合する３個の係合爪
２５と、から構成されている。前記段部当接面１４に当接する前記当接鍔部２４の当接面
は、前記車両用光源バルブ１を前記車両用灯具３に装着される際に、前記車両用光源バル
ブ１の光源を前記車両用灯具３の焦点Ｆに合わせる基準（いわゆる光源の位置合わせの基
準）となる前記口金５の基準面である。
【００２５】
前記バルブ６は、前記半導体型発光体アセンブリ４をカバーして前記口金部５に固定さ
れているものである。前記バルブ６は、前記半導体型発光体アセンブリ４をカバーする中
空形状をなし、かつ、前記半導体型発光体２からの光を外部に透過させる光透過性部材か
ら構成されている。前記バルブ６は、一端（前端）が半球形状もしくはドーム形状に閉塞
されており、他端（後端）が円形に開口されている。前記バルブ６には、前記半導体型発
光体２からの光を外部に拡散透過させる光拡散素子群としてのプリズム２６が設けられて
いる。前記バルブ６の後端は、前記口金５の前記充填部材２０および前記ベース部材２１
の固定部に固定されている。
【００２６】
前記半導体型発光体アセンブリ４は、図４に示すように、平板形状の基板２７と、前記
半導体型発光体２と、駆動回路としての定電流ダイオード２８と、電源（ＤＣ１２Ｖ）側
の接続部２９およびアース（ＧＮＤ）側の接続部３０と、から構成されている。
【００２７】
平板形状の前記基板２７の一端（後端）は、前記口金５の前記充填部材２０および前記
ベース部材２１の取付部に取り付けられている。すなわち、前記基板２７は、前記口金５
の基準面に対してほぼ垂直に、前記取付部に取り付けられている。また、前記基板２７は
、前記車両用光源バルブ１を正面から見た際（図１（Ａ）を参照）に水平になるように、
前記取付部に取り付けられている。
【００２８】
前記半導体型発光体２は、たとえば、ＬＥＤやＥＬ（有機ＥＬ）などの自発光半導体型
発光体（この例ではＬＥＤ）を使用する。前記半導体型発光体２は、前記基板２７に固定
されている微小な矩形形状（正方形形状）の半導体チップと、前記半導体チップを覆う光
透過部材（図示せず）と、から構成されている。前記半導体型発光体２は、この例では、
白色光もしくは青色光を放射するものを使用する。
【００２９】
前記半導体型発光体２は、図４（Ａ）および（Ｂ）に示すように、前記基板２７の表裏
両面の一端部寄りと他端部とにそれぞれ複数個、この例では、４個ずつ実装されている。
また、前記半導体型発光体２は、図８に示すように、車両の口金の規格で決められている
フィラメントの前端、すなわち、前記車両用灯具３の前記リフレクタ１０の焦点Ｆよりも
後方に位置する。
【００３０】
前記駆動回路としての定電流ダイオード２８は、図４（Ａ）および（Ｂ）に示すように
、前記基板２７の表裏両面の前記半導体型発光体２の間にそれぞれ複数個、この例では、
２個ずつ実装されている。また、前記電源側の接続部２９および前記アース側の接続部３
０は、図４（Ａ）に示すように、前記基板２７の表面の一端部にそれぞれ設けられている
。
【００３１】
８個の前記半導体型発光体２と、４個の前記定電流ダイオード２８と、電源側の接続部
２９およびアース側の接続部３０とは、図４（Ｃ）に示すように、電気回路を構成する。
前記電源側の接続部２９とアース側の接続部３０とには、前記口金５のハーネス１９の一
端がはんだ付けなどにより接続されている。ここで、１個の前記定電流ダイオード２８は
、２個の前記半導体型発光体２に電流を供給することができる。
【００３２】
この実施例１における車両用光源バルブは、以上のごとき構成からなり、以下、その作
用について説明する。
【００３３】
まず、この実施例１における車両用光源バブル１を車両用灯具３に装着する。すなわち
、車両用光源バルブ１の半導体型発光体アセンブリ４および口金５の一部およびバルブ６
を、車両用灯具３のランプハウジング８の大径の円形透孔１５および小径の円形透孔１３
の中を挿通させて車両用灯具３の灯室７内に配置させる（図８参照）。つぎに、口金５の
３個の係合爪２５をランプハウジング８の３個の凹部１６中にセットさせると共に、口金
５の当接鍔部２４をランプハウジング８の段部当接面１４に当接させる（図５参照）。そ
れから、車両用光源バルブ１の口金５を車両用灯具３のランプハウジング８に対して背面
から見て時計方向に回転させる（図６参照）。すると、口金５の３個の係合爪２５がラン
プハウジング８の３個の係合溝１７にそれぞれ係合する（図７参照）。この結果、車両用
光源バブル１は、車両用灯具３に装着される（図８および図９参照）。
【００３４】
前記のようにして、車両用灯具３に装着された車両用光源バルブ１のハーネス１９の一
端を車両側の電源線（図示せず）とアース線（図示せず）とにそれぞれ接続する。そして
、スイッチなど（図示せず）を介して車両用電源バルブ１の半導体型発光体アセンブリ４
を駆動させる。すなわち、４個の定電流ダイオード２８を介して８個の半導体型発光体２
に電流を供給して８個の半導体型発光体２を発光させる。
【００３５】
すると、８個の半導体型発光体２からの光は、バルブ６のプリズム２６で拡散されてバ
ルブ６を透過する。バルブ６を拡散透過した光は、車両用灯具３のリフレクタ１０に入射
してこのリフレクタ１０で反射する。リフレクタ１０で反射した光は、車両用灯具３のラ
ンプレンズ９を経て外部に照射される。この結果、車両用灯具３のリフレクタ１０が全体
に亘って光って見える。
【００３６】
ここで、この実施例１における車両用光源バルブ１は、８個の半導体型発光体２からの
光量が通常のフォグランプのハロゲンバルブの光量と比較して低いので、照明機能が低い
が、半導体型発光体２から放射される光の色を選択することにより装飾機能が高くなる。
【００３７】
すなわち、白色光の半導体型発光体２を使用すると、半導体型発光体２から放射される
白色光の色温度が約５０００°Ｋであり、一方、ヘッドランプなどに使用される放電灯か
ら照射される光の色温度（約４２００°Ｋ）とほぼ同等または若干高い（差が約２０％以
内）。この結果、この実施例１における車両用光源バルブ１を装着した車両用灯具３から
の光の色と、放電灯を使用するヘッドランプなどからの光の色と、の差が小さいので、こ
の実施例１における車両用光源バルブ１を装着した車両用灯具３と放電灯を使用するヘッ
ドランプなどとを組み合わせたフロントコンビネーションランプとして統一性が向上され
、意匠上の見栄えや外観上の見栄えが向上される。しかも、白色光は、薄暗い環境や夕暮
れ時に目立つ。
【００３８】
また、青色光の半導体型発光体２を使用すると、青色光は、明るい環境や昼間などに目
立つので、対向車などの他の車両や歩行者などからの被視認性が向上される。このために
、ディタイムランプとして十分に機能することができる。
【００３９】
この実施例１における車両用光源バルブは、以上のごとき構成作用からなり、以下、そ
の効果について説明する。
【００４０】
この実施例１における車両用光源バルブ１は、平板形状の基板２７の表裏両面に半導体
型発光体２を実装するので、逆Ｕ字形状の基板や円筒形状の基板に半導体型発光体を実装
する従来の車両用光源バルブと比較して、平板形状の基板２７に半導体型発光体２を実装
するのが簡単であり、また、半導体型発光体２を実装した平板形状の基板２７を口金５に
取り付けるのも簡単である。このために、この実施例１における車両用光源バルブ１は、
製造コストを安価にすることができる。しかも、この実施例１における車両用光源バルブ
１は、平板形状の基板２７の表裏両面に半導体型発光体２を実装するので、平板形状の基
板２７に半導体型発光体２を正確にかつ確実に実装することができるので、半導体型発光
体２から放射される光を正確にかつ確実に制御することができる。
【００４１】
また、この実施例１における車両用光源バルブ１は、平板形状の基板２７が口金５にそ
の口金５の基準面に対してほぼ垂直に取り付けられているので、口金５を車両用灯具３に
装着した際には、平板形状の基板２７の表裏両面が車両用灯具３のリフレクタ１０の光軸
Ｚ−Ｚに対してほぼ平行となる。このために、この実施例１における車両用光源バルブ１
は、平板形状の基板２７の表裏両面に実装された半導体型発光体２からの光を車両用灯具
３のリフレクタ１０で有効に活用することができる。しかも、この実施例１における車両
用光源バルブ１は、基板２７の口金５への取付姿勢を、たとえば、正面から見て平板形状
の基板２７が水平（図１（Ａ）参照）もしくは垂直もしくは右斜めもしくは左斜めなどに
、調整することにより、半導体型発光体２からの光をリフレクタ１０のうち有効な部分に
反射させることができるので、半導体型発光体２からの光をさらに有効に活用することが
できる。その上、車両用灯具３のランプレンズ９から平板形状の基板２７を見え難くする
ことができ、見栄えが向上する。特に、基板２７を白色など目立たない色に着色すること
により、車両用灯具３のランプレンズ９から平板形状の基板２７をさらに見え難くするこ
とができ、見栄えがさらに向上する。
【００４２】
さらに、この実施例１における車両用光源バルブ１は、半導体型発光体２が平板形状の
基板２７の表裏両面にそれぞれ４個ずつ実装されているので、半導体型発光体２の光放射
軸を基板２７の表裏両面においてそれぞれほぼ同一方向に設定することができ、同一方向
の光束量（光量）を上げることができる。
【００４３】
さらにまた、この実施例１における車両用光源バルブ１は、半導体型発光体２が、車両
の口金の規格で決められているフィラメントの前端よりも後方に位置するので、車両用灯
具３に装着した際に、半導体型発光体２がその車両用灯具３のリフレクタ１０の焦点Ｆよ
りも後方に位置することとなり、この結果、半導体型発光体２からの光がリフレクタ１０
で拡散反射されるので、リフレクタ１０が広い範囲に亘って光って目立ち、装飾効果が大
きい。
【００４４】
さらにまた、この実施例１における車両用光源バルブ１は、半導体型発光体２からの光
を外部に拡散透過させる光拡散素子群としてのプリズム２６がバルブ６に設けられている
ので、車両用灯具３に装着した際に、半導体型発光体２からの光がバルブ６を透過する際
にプリズム２６により拡散され、その拡散透過した光が車両用灯具３のリフレクタ１０で
反射されるので、リフレクタ１０が広い範囲に亘って光って目立ち、装飾効果が大きい。
【００４５】
さらにまた、この実施例１における車両用光源バルブ１は、光源として半導体型発光体
２を使用するので、消費電力や発熱量を低減することができる。
【００４６】
さらにまた、この実施例１における車両用光源バルブ１は、半導体型発光体アセンブリ
４の駆動回路としての定電流ダイオード２８を使用するので、１個のこの定電流ダイオー
ド２８で２個の半導体型発光体２に電流を供給することができる。これにより、この実施
例１における車両用光源バルブ１は、さらに部品点数を軽減することができ、その分、さ
らに製造コストを安価にすることができる。
【００４７】
さらにまた、この実施例１における車両用光源バルブ１は、車体にすでに装備されてい
る車両用灯具３のハロゲンバルブなどの光源バルブと交換することにより、既存の車両用
灯具３の装飾効果を上げることができる。
【実施例２】
【００４８】
図１０は、この発明にかかる車両用光源バルブの実施例２を示す。図中、図１〜図９と
同符号は、同一のものを示す。なお、図１０（Ａ）は、半導体型発光体アセンブリの表面
側の平面図である。図１０（Ｂ）は、半導体型発光体アセンブリの裏面側の底面図である
。図１０（Ｃ）は、半導体型発光体アセンブリの電気回路図である。
【００４９】
この実施例２における車両用光源バルブは、前記の実施例１における車両用光源バルブ
１に使用される半導体型発光体アセンブリ４と異なる半導体型発光体アセンブリ４０を使
用する。前記半導体型発光体アセンブリ４０は、図１０に示すように、平板形状の基板２
７と、前記基板２７の表裏両面に２個ずつ実装されている半導体型発光体２と、前記基板
２７の表裏両面に１個ずつ実装されている定電流ダイオード２８と、前記基板２７の表面
に設けられている電源側の接続部２９およびアース側の接続部３０と、から構成されてい
る。
【００５０】
この実施例２における車両用光源バルブは、４個の半導体型発光体２と２個の定電流ダ
イオード２８からなる半導体型発光体アセンブリ４０を使用するので、前記の実施例１に
おける車両用光源バルブ１に使用される半導体型発光体アセンブリ４と比較して、さらに
部品点数を低減することができ、さらに製造コストを安価にすることができる。
【００５１】
しかも、この実施例２における車両用光源バルブは、基板２７の表裏両面に２個の半導
体型発光体２を筋交いに（斜めに）、かつ、表裏互い違いにそれぞれ設けたものであるか
ら、４個の半導体型発光体２からの光は、車両用灯具３のリフレクタ１０に広い範囲に亘
ってほぼ均等に入射することができる。この結果、この実施例２における車両用光源バル
ブは、半導体型発光体２の個数を減らしても、リフレクタ１０を広い半導体型発光体に亘
ってほぼ均等に光らせることができる。
【実施例３】
【００５２】
図１１は、この発明にかかる車両用光源バルブの実施例３を示す。図中、図１〜図１０
と同符号は、同一のものを示す。
【００５３】
この実施例３における車両用光源バルブ１００は、前記の実施例１における車両用光源
バルブ１に使用される口金５と異なる口金５０を使用する。前記口金５０は、コネクタタ
イプの口金であって、車両側のコネクタ（図示せず）と着脱可能に取り付けられると共に
電機的に接続するものである。なお、このコネクタタイプの口金５０の給電部材は、ター
ミナルとなる。
【００５４】
この実施例３における車両用光源バルブ１００は、コネクタタイプの口金５０を使用す
るので、車両側の電源との接続が容易でかつ確実である。
【００５５】
なお、前記の実施例１、２、３においては、車両用灯具３として車両にすでに装備され
ているフォグランプを使用するものである。ところが、この発明においては、フォグラン
プ以外の車両用灯具を使用してもよい。この場合、口金は、フォグランプ以外の車両用灯
具に装着できる規格化された車両用の口金とする。
【００５６】
また、前記の実施例１、２、３においては、白色光や青色光を放射する半導体型発光体
２を使用するものである。ところが、この発明においては、白色光や青色光以外の光たと
えば黄色光や緑色光を放射する半導体型発光体を使用してもよい。
【図面の簡単な説明】
【００５７】
【図１】この発明にかかる車両用光源バルブの実施例１を示す説明図である。
【図２】図１（Ａ）におけるＩＩ−ＩＩ線断面図である。
【図３】図１（Ａ）におけるＩＩＩ−ＩＩＩ線断面図である。
【図４】同じく、半導体型発光体アセンブリを示す説明図である。
【図５】同じく、車両用光源バルブの係合爪を車両用灯具の凹部にセットした状態を示す一部背面図である。
【図６】同じく、車両用光源バルブを車両用灯具に対して回転させた状態を示す一部背面図である。
【図７】同じく、車両用光源バルブを車両用灯具に装備した状態を示す一部背面図である。
【図８】同じく、車両用光源バルブを車両用灯具に装備した状態を示す縦断面図である。
【図９】図８におけるＩＸ−ＩＸ線断面図である。
【図１０】この発明にかかる車両用光源バルブの実施例２を示す半導体型発光体アセンブリの説明図である。
【図１１】この発明にかかる車両用光源バルブの実施例３を示す側面図である。
【符号の説明】
【００５８】
１、１００  車両用光源バルブ
２  半導体型発光体
３  車両用灯具
４、４０  半導体型発光体アセンブリ
５、５０  口金
６  バルブ
７  灯室
８  ランプハウジング
９  ランプレンズ
１０  リフレクタ
１１  プリズム
１２  車両用灯具側の装着部
１３  小径の円形透孔
１４  段部当接面
１５  大径の円形透孔
１６  凹部
１７  係合溝
１８  本体部材（装着部）
１９  ハーネス（給電部材）
２０  充填部材（取付部、固定部）
２１  ベース部材（取付部、固定部）
２２  カバー部材
２３  Ｏリング
２４  当接鍔部
２５  係合爪
２６  プリズム
２７  基板
２８  定電流ダイオード
２９  電源側の接続部
３０  アース側の接続部
Ｆ  焦点
Ｚ−Ｚ  光軸
【図１】
2006324217.tif 000003
【図２】
2006324217.tif 000004
【図３】
2006324217.tif 000005
【図４】
2006324217.tif 000006
【図５】
2006324217.tif 000007
【図６】
2006324217.tif 000008
【図７】
2006324217.tif 000009
【図８】
2006324217.tif 000010
【図９】
2006324217.tif 000011
【図１０】
2006324217.tif 000012
【図１１】
2006324217.tif 000013